(57)【特許請求の範囲】
【請求項１】
底壁とその両側から立設される側壁によりコ字状に形成され、フラットワイヤハーネスを８の字状に折り曲げて形成される８の字状わん曲部の中央集束部をフラットワイヤハーネスがその長さ方向に出入り自在に保持するフラットワイヤハーネスの長さ調節治具本体と、長さ調節治具本体に、その底壁と対向する側の開口部を開閉し得るように設けられる蓋部と、長さ調節治具本体の底壁、蓋部の少なくとも一方に、フラットワイヤハーネスの８の字状わん曲部の中央集束部にあって該わん曲部を構成する一対のループ部の各内側へ突出するように設けられ、フラットワイヤハーネスが過度に引き出されるのを防止するストッパー部材とを備えることを特徴とするフラットワイヤハーネスの長さ調節治具。
【請求項２】
前記蓋部の一端部が長さ調節治具本体の一方の側壁の先端側に前記開口部を開閉し得るように回動自在に設けられ、他端部が長さ調節治具本体の他方の側壁に着脱自在に係止され、長さ調節治具本体の側壁又は底壁の外面に長さ調節治具を取り付ける差込型のクリップが設けられていることを特徴とする請求項１記載のフラットワイヤハーネスの長さ調節治具。
【請求項３】
前記長さ調節治具本体のフラットワイヤハーネスが出入りする側の側壁の該ハーネス長さ方向の両端に、これを外側にわん曲させた反り部が形成されることを特徴とする請求項１又は２記載のフラットワイヤハーネスの長さ調節治具。
【発明の詳細な説明】
【０００１】
【発明の属する技術分野】
本発明は自動車用配線等に用いられるフレキシブルフラットケーブル（ＦＦＣ）やフレキシブルプリント回路基板導体（ＦＰＣ）等のような可撓性を有するフラットワイヤハーネスの長さ調節治具に関するものである。
【０００２】
【従来の技術】
フラットワイヤハーネスは自動車その他の車両等に使用される装置、機器類の電源と電装品間、又は電装品間等に配索されて使用される。配索されるフラットワイヤハーネスの長さは、その配索間隔（配索距離）に対応させる必要がある。これはフラットワイヤハーネスの長さがその配索間隔より短過ぎると、ワイヤーハーネスを配索することが困難になり、フラットワイヤハーネスの長さが長過ぎると、余剰分が生じて垂れ下がり、他の部品等と干渉を起こし易くなるからである。フラットワイヤハーネスの配索間隔は、これを使用する車両等の種類、使用場所、仕様等によって異なる場合が多いので、これに対応した長さを有する複数本のフラットワイヤハーネスを予め製作して準備しておくことは煩雑であり価格も高くなる。そこで、種々異なるフラットワイヤハーネスの配索間隔に対応できるように、フラットワイヤハーネスの長さ調節治具を用いて、そのハーネスの長さを調節することが行われる。
【０００３】
従来、このようなフラットワイヤハーネスの長さ調節治具として図７に示すような構成の摺動ＢＯＸが提案されている。この摺動ＢＯＸは、矩形箱状に形成され、上部に矩形状の開口部１Ａと前壁１Ｃに矩形状の開口部１Ｂが設けられ、内部にフラットワイヤハーネス２を収納保持する長さ調節治具本体１と、長さ調節治具本体１の上部に前記開口部１Ａを開閉し得るように設けられる板状の蓋部３とを備える。
【０００４】
また、蓋部３の後端部に長さ調節治具本体１の内部に垂直下方へ突出するように設けられ、長さ調節治具本体１の後壁１Ｄに沿って下方へ引き入れられるフラットワイヤハーネス２に当接してその移動を押える板状の縦押え部材４と、長さ調節治具本体１の前壁１Ｃにおける開口部１Ｂの下部中央位置に水平内方へ突出するように設けられ、長さ調節治具本体１の後壁１Ｄ、底壁１Ｅに沿って引き入れられ、前壁１Ｃの手前で上方へ１８０度折り返して折り畳まれるフラットワイヤハーネス２の上面に当接してその移動を押える板状の横押え部材５とを備え、前記蓋部３を介して長さ調節治具本体１を自動車その他の車両等のパネル等にねじ６で締め付け固定するように構成される。
【０００５】
この摺動ＢＯＸの長さ調節治具本体１内に収納保持されるフラットワイヤハーネス２は、前記横押え部材５で移動を押えられた後、更に逆方向（前壁１Ｃ側）へ向けてわん曲するように折り返されて、図の矢印で示すように、開口部１Ｂからフラットワイヤハーネス２の配索間隔に対応して外方へ引き出されたり、長さ調節治具本体１内へ押し込まれるように摺動（移動）するようになっている。
【０００６】
【発明が解決しようとする課題】
従来のフラットワイヤハーネス２の長さ調節治具（摺動ＢＯＸ）は、フラットワイヤハーネス２の長さを調節する部分が矩形箱状に形成される長さ調節治具本体１内に収納保持されているので、長さ調節治具が大型になり、フラットワイヤハーネスを配索するのに大きなスペースを必要とする問題がある。
【０００７】
また、フラットワイヤハーネス２は、長さ調節治具本体１の後壁１Ｄ、底壁１Ｅに沿って引き入れられた後、前壁１Ｃの手前で上方へ１８０度折り返して折り畳まれ、横押え部材５で移動を押えられた後、更に逆方向（前壁１Ｃ側）へ向けてわん曲するように折り返されて、長さ調節治具本体１内に収納保持されるので、フラットワイヤハーネス２が過度に曲げられて座屈、損傷する恐れがある。
【０００８】
更に、フラットワイヤハーネス２を一方の側から該調節治具より引き出したり、該調節治具へ押し込んだりして、その長さを調節することしか出来ないため、フラットワイヤハーネス２の長さを調節する範囲が狭くなるほか、他方の側の該ハーネスの長さを調節する必要がある場合には、長さ調節治具を他方の側に移動させる必要が生じ、フラットワイヤハーネスの配索作業性が悪くなる問題がある。
【０００９】
本発明は上記課題に鑑みなされたもので、フラットワイヤハーネスを小さなスペースに配索することができ、また、座屈、損傷するのを防止し、更に、広い範囲で長さを調節することが可能で配索作業性を向上させる長さ調節治具を提供することを目的とするものである。
【００１０】
【課題を解決するための手段】
上記目的を達成するために、本発明の請求項１に記載されたフラットワイヤハーネスの長さ調節治具は、底壁とその両側から立設される側壁によりコ字状に形成され、フラットワイヤハーネスを８の字状に折り曲げて形成される８の字状わん曲部の中央集束部をフラットワイヤハーネスがその長さ方向に出入り自在に保持するフラットワイヤハーネスの長さ調節治具本体と、長さ調節治具本体に、その底壁と対向する側の開口部を開閉し得るように設けられる蓋部と、長さ調節治具本体の底壁、蓋部の少なくとも一方に、フラットワイヤハーネスの８の字状わん曲部の中央集束部にあって該わん曲部を構成する一対のループ部の各内側へ突出するように設けられ、フラットワイヤハーネスが過度に引き出されるのを防止するストッパー部材とを備えるものである。
【００１１】
このような構成によると、フラットワイヤハーネスの８の字状わん曲部の中央集束部がコ字状に形成される長さ調節治具本体で保持されるので、長さ調節治具が全体的に小型になり、フラットワイヤハーネスを狭いスペースでも配索することができる。
【００１２】
また、フラットワイヤハーネスに形成される長さ調節のための曲がり部分は８の字状わん曲部の一対のループ部だけであり、該ハーネスの長さ調節治具本体への保持又は長さ調節中に、該ハーネスが過度に曲げられて座屈、損傷することがなく、該ハーネスの配索又は使用中における長さ調節を円滑に行うことができる。
【００１３】
更に、フラットワイヤハーネスに形成される８の字状わん曲部で該ハーネスの長さを調節するので、フラットワイヤハーネスを両方の側から長さ調節治具より引き出したり、該調節治具へ押し込んだりして、出入りさせることにより、その長さを調節することが可能になり、フラットワイヤハーネスの長さを広い範囲で調節することができる。また、該ハーネスをいずれの側からも出入りさせることが可能になるので、長さ調節治具を長さを調節する必要のある側へ移動させることが不要となり、該ハーネスの配索作業性を向上させることができる。
【００１４】
本発明の請求項２に記載されたフラットワイヤハーネスの長さ調節治具は、前記請求項１記載の長さ調節治具において、前記蓋部の一端部が長さ調節治具本体の一方の側壁の先端側に前記開口部を開閉し得るように回動自在に設けられ、他端部が長さ調節治具本体の他方の側壁に着脱自在に係止され、長さ調節治具本体の側壁又は底壁の外面に長さ調節治具を取り付ける差込型のクリップが設けられるものである。
【００１５】
このような構成によると、フラットワイヤハーネスの長さ調節治具への取り付け、取り外し、長さ調節治具の自動車その他の車両等のパネル、ボデイ、機器等への装脱着の作業性がより向上するほか、長さ調節治具の部品数が減少してより安価に製造することができるので好ましい。
【００１６】
本発明の請求項３に記載されたフラットワイヤハーネスの長さ調節治具は、前記請求項１又は２記載の長さ調節治具において、前記長さ調節治具本体のフラットワイヤハーネスが出入りする側の側壁の該ハーネス長さ方向の両端に、これを外側へわん曲させた反り部が形成されるものである。
【００１７】
このような構成によると、フラットワイヤハーネスが長さ調節治具から出入りする際、長さ調節治具本体の側壁の長さ方向の両端縁でこすられて摩擦を生じたり、傷付いたりすることがなく、フラットワイヤハーネスをより円滑に出入りさせることができるので好ましい。
【００１８】
【発明の実施の形態】
次に、本発明の好ましい実施形態を図面に基づき詳細に説明する。図１は本発明に係るフラットワイヤハーネス１２（図３参照）の長さ調節治具１０において、フラットワイヤハーネス１２を取り付ける前の状態を示す斜視図、図２は図１において、フラットワイヤハーネス１２を取り付けた状態を示す斜視図である。
【００１９】
本実施形態のフラットワイヤハーネス１２の長さ調節治具１０は、図１、２に示すように、底壁１６と、その両側から高さがフラットワイヤハーネス１２の幅より少し大きくなるように立設される側壁１８、１９によりコ字状に形成され、フラットワイヤハーネス１２を２個所で互いに逆方向へ折り返すことにより８の字状に折り曲げて形成される８の字状わん曲部１２Ａの中央集束部１２Ｂを保持するフラットワイヤハーネス１２の長さ調節治具本体１４と、長さ調節治具本体１４に、その底壁１６と対向する側の開口部２０を開閉し得るように設けられる板状の蓋部２２とを備える。
【００２０】
長さ調節治具本体１４及び蓋部２２は、ポリプロピレン、ナイロン等の樹脂材料を成形して形成される。蓋部２２はその一端部２２Ａが長さ調節治具本体１４の一方の側壁１８の先端側に、蓋部２２及び長さ調節治具本体１４を構成する樹脂材料の肉厚よりも部分的に薄くすることにより形成されるヒンジ２４により、前記開口部２０を開閉し得るように回動自在に設けられる。
【００２１】
蓋部２２の他端部２２Ｂは、これを図１に示すように回動させて長さ調節治具本体１４の開口部２０を閉じたときに、長さ調節治具本体１４の他方の側壁１９の先端側の内側へ挿入され、側壁１９に保持されるように、所定幅で内側へ９０度折り曲げ成形されている。また、その中央部位の外面には、先端に外向きのフック２６Ａを有する係止片２６が突設され、長さ調節治具本体１４の他方の側壁１９に矩形状の係止穴２８Ａを有する係止ブロック２８が設けられる。そして、蓋部２２を図１の矢印方向へ回動させて長さ調節治具本体１４の開口部２０を閉じ、前記係止片２６を前記係止ブロック２８の係止穴２８Ａに差し込み、係止片２６のフック２６Ａを係止穴２８Ａの後端縁部に引っ掛けることにより、蓋部２２の他端部２２Ｂを長さ調節治具本体１４の他方の側壁１９に着脱自在に係止できるようになっている。
【００２２】
また、長さ調節治具本体１４の他方の側壁１９に設けられる係止ブロック２８の上面には、長さ調節治具１０を自動車その他の車両等のパネル、ボデイ、機器等に形成される取付穴（図示省略）に差し込み係止させて取り付けるための差込型のクリップ３０が突出するように設けられる。このクリップ３０は微小間隔を隔てて対向し、先端に外向きのフック３０Ｂが形成される一対の弾性を有するロック片３０Ａ、３０Ａで構成される。なお、このクリップ３０は図示省略するが長さ調節治具本体１４の一方の側壁１８又は底壁１６に設けるようにしてもよい。また、クリップ３０は図示のような微小間隔を隔てた一対のロック片３０Ａ、３０Ａだけに限定されるものではなく、先端又は中間にフック又は係止用凹凸部が形成される差込型の単一部材で構成するようにしてもよい。
【００２３】
このように、蓋部２２が長さ調節治具本体１４に前記開口部２０を開閉し得るように回動自在に設けられ、また、長さ調節治具本体１４に差込型のクリップ３０が設けられていると、フラットワイヤハーネス１２の長さ調節治具１０への取り付け、取り外し、長さ調節治具１０の自動車その他の車両等における、ドア開閉部、ラゲッジルーム開閉部、ステアリングテレスコ機構部等のパネル、ボデイ、機器等への装脱着の際の作業性がより向上するほか、長さ調節治具１０の部品数が減少してより安価に製造することができるので好ましい。
【００２４】
更に、長さ調節治具本体１４の底壁１６には、図３に示すように、フラットワイヤハーネス１２の８の字状わん曲部１２Ａの中央集束部１２Ｂにあって該わん曲部１２Ａを構成する一対のループ部１２Ｃ、１２Ｃの各内側へ突出するように、一個の矩形棒材からなるストッパー部材３２が設けられる。ストッパー部材３２は左右、上下に間隔を隔てて配置される。ストッパー部材３２は、フラットワイヤハーネス１２が図３の一点鎖線で示すように、両側から過度に引き出されたとき、長さ調節治具１０から外れるのを防止する機能を有する。いずれか一方のループ部１２Ｃ、又は、両ループ部１２Ｃ、１２Ｃ内には、必要に応じて２個以上のストッパー部材３２を設けるようにしてもよい。なお、図示しないが、前記複数個のストッパー部材３２は底壁１６側ではなく、蓋部２２側に設けるようにしてもよい。更に底壁１６側と蓋部２２側の両方に設け、例えば、一方のループ部１２Ｃの内側には底壁１６側から一個又は複数個のストッパー部材２２が突出し、他方のループ部１２Ｃの内側には蓋部２２側から一個又は複数個のストッパー部材２２が突出するようにしてもよい。ストッパー部材３２がフラットワイヤハーネス１２の８の字状わん曲部１２Ａの中央集束部１２Ｂ側の一対のループ部１２Ｃ、１２Ｃの各内側へ突出するので、フラットワイヤハーネス１２をかなりの長さ範囲で出入りさせることができる。
【００２５】
本実施形態のフラットワイヤハーネス１２の長さ調節治具１０は上記のような構成になっている。フラットワイヤハーネス１２を長さ調節治具１０に取り付ける場合には、図１に示すように、蓋部２２を下方に回動させて長さ調節治具本体１４の開口部２０を開いた状態にしておき、フラットワイヤハーネス１２を、図３に示すように、８の字状に折り曲げて一対のループ部１２Ｃ、１２Ｃを有する８の字状わん曲部１２Ａを形成しながら、長さ調節治具本体１４のストッパー部材３２、３２が８の字状わん曲部１２Ａの一対のループ部１２Ｃ、１２Ｃの各内側へ突出するようにして、８の字状わん曲部１２Ａの中央集束部１２Ｂを長さ調節治具本体１４の開口部２０から両側壁１８、１９内に収納保持する。その後、図２に示すように、蓋部２２を図１の矢印方向へ回動させて、長さ調節治具本体１４の開口部２０を閉じ、蓋部２２の係止片２６を長さ調節治具本体１４の係止穴２８Ａに差し込み、蓋部２２を長さ調節治具本体１４に係止させ、フラットワイヤハーネス１２の取り付けを終了する。
【００２６】
このようにしてフラットワイヤハーネス１２を取り付けた長さ調節治具１２を自動車等のパネル、ボデイ等に装着してフラットワイヤハーネス１２の長さを調節する方法を説明すると、長さ調節治具１０を装着した後、フラットワイヤハーネス１２の配索間隔に対応させて、フラットワイヤハーネス１２を長く調節する必要がある場合には、図４（イ）に示すように、フラットワイヤハーネス１２の一方の側（右側）を長さ調節治具１０より矢印方向へ所定長さ引き出す。そうすると、８の字状わん曲部１２Ａの左側のループ部１２Ｃの該ハーネス１２が矢印方向へ移動して引き出され、該ループ部１２Ｃのループ径が該ハーネス１２の引き出し量に応じて小さくなる。
【００２７】
反対に、フラットワイヤハーネス１２の配索間隔に対応させて、フラットワイヤハーネス１２を短くして、フラットワイヤハーネス１２の余剰分を吸収する必要がある場合には、図４（ロ）に示すように、フラットワイヤハーネス１２の一方の側（右側）を長さ調節治具１０に矢印方向へ所定長さ押し込む。そうすると、８の字状わん曲部１２Ａの左側のループ部１２Ｃの該ハーネス１２が矢印方向へ移動して押し込まれ、該ループ部１２Ｃのループ径が該ハーネス１２の押し込み量に応じて大きくなる。
【００２８】
このようにしてフラットワイヤハーネス１２の一方の側を出入りさせることにより、フラットワイヤハーネス１２の長さを調節することができる。なお、フラットワイヤハーネス１２の他方の側（左側）の長さも同様にして調節することができる。その詳細説明は重複するので省略する。
【００２９】
上記構成のフラットワイヤハーネス１２の長さ調節治具１０によると、フラットワイヤハーネス１２の８の字状わん曲部１２Ａ全体ではなく、その中央集束部１２Ｂがコ字状に形成される長さ調節治具本体１４で保持されるので、長さ調節治具１０が全体的に小型になり、フラットワイヤハーネス１２を狭いスペースでも配索することができる。
【００３０】
また、フラットワイヤハーネス１２に形成される長さ調節のための曲がり部分は８の字状わん曲部１２Ａの一対のループ部１２Ｃ、１２Ｃだけであり、該ハーネス１２の長さ調節治具本体１４への保持又は長さ調節中に、該ハーネス１２が過度に曲げられて座屈、損傷することがなく、該ハーネス１２の配索又は使用中における長さ調節を円滑に行うことができる。
【００３１】
更に、フラットワイヤハーネス１２に形成される８の字状わん曲部１２Ａで該ハーネス１２の長さを調節するので、フラットワイヤハーネス１２を両方の側から長さ調節治具１０より引き出したり、該調節治具１０へ押し込んだりして、出入りさせることにより、その長さを調節することが可能になり、フラットワイヤハーネス１２の長さを広い範囲で調節することができる。また、該ハーネス１２をいずれの側からも出入りさせることが可能になるので、長さ調節治具１０を長さを調節する必要のある側へ移動させることが不要となり、該ハーネス１２の配索作業性を向上させることができる。
【００３２】
図５は、前記長さ調節治具本体１４のフラットワイヤハーネス１２が出入りする側の側壁１８、１９の該ハーネス長さ方向の両端に、これを外側へわん曲させて反り部３４を形成して、フラットワイヤハーネスの長さを調節する状態を示すもので、（イ）は該ハーネス１２を引き出して長く調節する状態、（ロ）は該ハーネス１２を押し込んで短く調節する状態の説明図である。
【００３３】
図５に示すように、長さ調節治具本体１４の側壁１８、１９に反り部３４を形成した長さ調節治具１０を用いても、フラットワイヤハーネス１２の長さを調節する方法は前記図４（イ）（ロ）に示す方法と同じである。このような反り部３４が形成されていると、フラットワイヤハーネス１２が長さ調節治具１０から出入りする際、長さ調節治具本体１４の側壁１８、１９の長さ方向の両端縁でこすられて摩擦を生じたり、傷付いたりすることがなく、フラットワイヤハーネス１２をより円滑に出入りさせることができるので好ましい。なお、反り部３４は、フラットワイヤハーネス１２が長さ調節治具１０から出入りする側の側壁１８又は側壁１９の該ハーネス長さ方向の両端に形成するようにしてもよい。
【００３４】
図６は複数枚（図示のものは２枚）のフラットワイヤハーネス１２を８の字状に折り曲げて形成される８の字状わん曲部１２Ａを長さ調節治具本体１４に取り付けた長さ調節治具１０を示すもので、（イ）は長さ調節治具本体１４に反り部３４が形成されない長さ調節治具１０の斜視図、（ロ）は長さ調節治具本体１４に反り部３４が形成されている長さ調節治具１０の斜視図である。フラットワイヤハーネス１２がこのように複数枚になっても、上記した場合と同様にその長さを調節することができる。
【００３５】
ただし、フラットワイヤハーネス１２が複数枚重ね合わさると、これらを長さ調節治具１０に出入り移動させた場合、フラットワイヤハーネス１２同士が相互に干渉しないようにする必要がある。このために、更に具体的に説明すると、フラットワイヤハーネス１２の８の字状わん曲部１２Ａを構成するループ部１２Ｃの先端側における該ハーネス１２同士の間隔を約３ｍｍ程度以上とることが望ましい。この程度の間隔を設けると、フラットワイヤハーネス１２の長さ調節のために、該ハーネス１２が出入りして内外のループ部１２Ｃが拡大、収縮しても、該ループ部１２Ｃ同士が相互に干渉せず、該ハーネス１２の出入り移動を円滑に行うことが可能になる。
【００３６】
【発明の効果】
以上説明したように、本発明のフラットワイヤハーネスの長さ調節治具によると、底壁とその両側から立設される側壁によりコ字状に形成され、フラットワイヤハーネスを８の字状に折り曲げて形成される８の字状わん曲部の中央集束部を保持するフラットワイヤハーネスの長さ調節治具本体と、長さ調節治具本体に、その底壁と対向する側の開口部を開閉し得るように設けられる蓋部と、長さ調節治具本体の底壁、蓋部の少なくとも一方に、フラットワイヤハーネスの８の字状わん曲部の中央集束部にあって該わん曲部を構成する一対のループ部の各内側へ突出するように設けられ、フラットワイヤハーネスが過度に引き出されるのを防止するストッパー部材とを備えるので、フラットワイヤハーネスの８の字状わん曲部の中央集束部がコ字状に形成される長さ調節治具本体で保持されるので、長さ調節治具が全体的に小型になり、フラットワイヤハーネスを狭いスペースでも配索することができる。
【００３７】
また、フラットワイヤハーネスに形成される長さ調節のための曲がり部分は８の字状わん曲部の一対のループ部だけであり、該ハーネスの長さ調節治具本体への保持又は長さ調節中に、該ハーネスが過度に曲げられて座屈、損傷することがなく、該ハーネスの配索又は使用中における長さ調節を円滑に行うことができる。
【００３８】
更に、フラットワイヤハーネスに形成される８の字状わん曲部で該ハーネスの長さを調節するので、フラットワイヤハーネスを両方の側から長さ調節治具より引き出したり、該調節治具へ押し込んだりして、出入りさせることにより、その長さを調節することが可能になり、フラットワイヤハーネスの長さを広い範囲で調節することができる。また、該ハーネスをいずれの側からも出入りさせることが可能になるので、長さ調節治具を長さを調節する必要のある側へ移動させることが不要となり、該ハーネスの配索作業性を向上させることができる。
【００３９】
また、前記長さ調節治具において、前記蓋部の一端部が長さ調節治具本体の一方の側壁の先端側に前記開口部を開閉し得るように回動自在に設けられ、他端部が長さ調節治具本体の他方の側壁に着脱自在に係止され、長さ調節治具本体の側壁又は底壁の外面に長さ調節治具を取り付ける差込型のクリップが設けられていると、フラットワイヤハーネスの長さ調節治具への取り付け、取り外し、長さ調節治具の自動車その他の車両等のパネル、ボデイ、機器等への装脱着の作業性がより向上するほか、長さ調節治具の部品数が減少してより安価に製造することができるので好ましい。
【００４０】
更に、前記長さ調節治具において、前記長さ調節治具本体のフラットワイヤハーネスが出入りする側の側壁の該ハーネス長さ方向の両端に、これを外側へわん曲させた反り部が形成されていると、フラットワイヤハーネスが長さ調節治具から出入りする際、長さ調節治具本体の側壁の長さ方向の両端縁でこすられて摩擦を生じたり、傷付いたりすることがなく、フラットワイヤハーネスをより円滑に出入りさせることができるので好ましい。
【図面の簡単な説明】
【図１】本発明に係るフラットワイヤハーネスの長さ調節治具において、フラットワイヤハーネスを取り付ける前の状態を示す斜視図である。
【図２】図１の長さ調節治具において、フラットワイヤハーネス（図示省略）を取り付けた状態を示す斜視図である。
【図３】図１の長さ調節治具本体にフラットワイヤハーネスの８の字状わん曲部の中央集束部を保持する状態を示す断面略図である。
【図４】図１の長さ調節治具を用いてフラットワイヤハーネスの長さを調節する状態を示すもので、（イ）は該ハーネスを引き出して長く調節する状態の説明図、（ロ）は該ハーネスを押し込んで短く調節する状態の説明図である。
【図５】図１の長さ調節治具において、長さ調節治具本体の側壁に反り部を形成してフラットワイヤハーネスの長さを調節する状態を示すもので、（イ）は該ハーネス１２を引き出して長く調節する状態、（ロ）は該ハーネス１２を押し込んでを短く調節する状態の説明図である。
【図６】複数枚のフラットワイヤハーネスを８の字状に折り曲げて形成される８の字状わん曲部を長さ調節治具本体に取り付けた長さ調節治具を示すもので、（イ）は長さ調節治具本体に反り部が形成されないものの斜視図、（ロ）は長さ調節治具本体に反り部が形成されるものの斜視図である。
【図７】従来の長さ調節治具を示す斜視図である。
【符号の説明】
１０      長さ調節治具
１２      フラットワイヤハーネス
１２Ａ    ８の字状わん曲部
１２Ｂ    中央集束部
１２Ｃ    ループ部
１４      長さ調節治具本体
１６      底壁
１８      側壁
１９      側壁
２０      開口部
２２      蓋部
２２Ａ    一端部
２２Ｂ    他端部
２４      ヒンジ
２６      係止片
２６Ａ    フック
２８      係止ブロック
２８Ａ    係止穴
３０      クリップ
３０Ａ    ロック片
３０Ｂ    フック
３２      ストッパー部材
３４      反り部
【図１】
0004267864.tif 000002
【図２】
0004267864.tif 000003
【図３】
0004267864.tif 000004
【図４】
0004267864.tif 000005
【図５】
0004267864.tif 000006
【図６】
0004267864.tif 000007
【図７】
0004267864.tif 000008